(57)【要約】      （修正有）【課題】従来の車椅子の足置きに直接足を乗せて置いていた、しかし、これでは足の不自由な患者や脚力の弱い患者の足が車椅子の移動の際におこる振動や揺れなどによる足のずれ落ちがあり足を何回も乗せ直す不都合があり不便をかんじた。【解決手段】従来の車椅子の足置きに取り外し可能な本考案の脱落防止足踏みカバー（Ｋ）を設け安全性や安定感、強度的にも丈夫に保つように薄い鉄板（Ｔ）を備え付けた、さらに、スリッパを履いた状態でもスリッパのかかとの部分が貫通できることを特徴とした空間を設け足のかかと部分はフィットガード（Ｎ）によって支えることができ、又、足踏み表面部分にスベリ止メ（Ｓ）を備え付けることで車椅子の移動の際におこる振動や揺れなどによる足のずれ落ちを防止することができ足の脱落の際におこる怪我の心配も無くこの課題を解決する。【選択図】図３
0003129103.tif 000002
【実用新案登録請求の範囲】
【請求項１】
従来の車椅子の足置きに取り外し可能な薄い鉄板を備え付けたことを特徴とする脱落防止足踏みカバー。
【請求項２】
患者がスリッパを履いた状態でもスリッパのかかと部分が貫通できる空間を設け足のかかと部分はフィットガードによって支えることができることを特徴とする請求項１に記載の脱落防止足踏みカバー。
【請求項３】
足踏み面の表面部分にスベリ止メのようなものを設けたことを特徴とする請求項１〜２に記載の脱落防止足踏みカバー。
【考案の詳細な説明】
【技術分野】
【０００１】  本考案は、車椅子に使用する足置きに関する。
【背景技術】
【０００２】  従来の車椅子の足置きに直接足を乗せて置いていた。
【考案の開示】
【考案が解決しようとする課題】
【０００３】  従来の車椅子の足置きに直接足を乗せて置いていた、これでは、足の不自由な患者や脚力の弱い患者の足が車椅子の移動の際におこる振動や揺れなどによる足のずれ落ちがあり足を何回も乗せ直す不都合があり不便を感じた。
【課題を解決するための手段】
【０００４】  そこで、従来の車椅子の足置きに取り外し可能な本考案の脱落防止足踏みカバー（Ｋ）を設け安全性や安定感、強度的にも丈夫に保つように薄い鉄板（Ｔ）を備え付け、さらにスリッパを履いた状態でもスリッパのかかと部分が貫通できることを特徴とした空間を設け足のかかと部分はフィットガード（Ｎ）によって支えることができ、又、足踏み表面部分にスベリ止メ（Ｓ）を備え付けることで車椅子の移動の際におこる振動や揺れなどによる足のずれ落ちを防止することができ足の脱落の際におこる患者の足が怪我をする心配も無くこの課題を解決する。
【考案の効果】
【０００５】  よって、本考案の脱落防止足踏みカバー（Ｋ）により足の不自由な患者や脚力の弱い患者の足が車椅子の移動の際におこる振動や揺れによる足のずれ落ちも無く、さらに車椅子を押す看護士や看病する家族も患者の足を何回も載せ直す不都合も無くなり患者も足の脱落により怪我をする心配も無いので安心して使用できる。また、取り外し可能なのでギプスを使用している患者や足置きに関係のない患者は従来通り使用すればよい。本考案の脱落防止足踏みカバー（Ｋ）は左右用がないためどちら側に使用してもよい。
【考案を実施するための最良の形態】
【０００６】  本考案に係る脱落防止足踏みカバー（Ｋ）は、図３に示すように薄い鉄板（Ｔ）を備え付けているので安全性や安定感、強度的にも丈夫であり、さらにフィットガード（Ｎ）は、足のかあと部分を包み込むことができるように高めにバランスを取り突っ掛けの逆の形にして素材は丈夫な生地を使用し肌触りの良いものが望ましく、薄い鉄板（Ｔ）は全体を樹脂で包み込み形を形成する。又、突っ込み部分の内側はずれ防止ゴムなどを使用することが望ましく大きさは車椅子のメ−カーの規格に応じて決めると良い。左右対称なのでどちらにも対応できることが望ましく足踏み面の表面部分はスベリ止メ（Ｓ）を備えることにより効果大であることが最も望ましい。
【図面の簡単な説明】
【０００７】
【図１】従来の車椅子の足置き足踏み面の平面図である。
【図２】本考案に係る脱落防止足踏みカバーを、車椅子の足置きに使用した状態の平面図である。
【図３】本考案に係る脱落防止足踏みカバーを取り付け使用した状態のＡ〜Ａ’の断面図である。
【図４】本考案に係る脱落防止足踏みカバーを取り付け使用した状態のＢ〜Ｂ’の断面図である。
【符号の説明】
【０００８】  Ｎ        フィットガード
Ｔ        薄い鉄板
Ｊ        従来の車椅子の足置き
Ｋ        脱落防止足踏みカバー
Ｓ        スベリ止メ
【図１】
0003129103.tif 000003
【図２】
0003129103.tif 000004
【図３】
0003129103.tif 000005
【図４】
0003129103.tif 000006
【手続補正書】
【提出日】平成18年10月23日(2006.10.23)
【手続補正１】
【補正対象書類名】実用新案登録請求の範囲
【補正対象項目名】全文
【補正方法】変更
【補正の内容】
【実用新案登録請求の範囲】
【請求項１】
車椅子の足置きに取り外し可能な薄い鉄板を備え付けたことを特徴とする筒状の脱落防止足踏みカバー。
【請求項２】
患者がスリッパを履いた状態でもスリッパのかかと部分が貫通できる空間を設け足のかかと部分は突っ掛けの逆の形をした帯状の生地によって支えることを特徴とする請求項１に記載の筒状の脱落防止足踏みカバー。
【請求項３】
足踏み面の表面部分にスベリ止メのようなものを設けたことを特徴とする請求項１〜２に記載の筒状の脱落防止足踏みカバー。
【手続補正２】
【補正対象書類名】明細書
【補正対象項目名】全文
【補正方法】変更
【補正の内容】
【考案の詳細な説明】
【技術分野】
【０００１】  本考案は、車椅子に使用する足置きに関する。
【背景技術】
【０００２】  車椅子の足置きに直接足を乗せて置いていた。
【考案の表示】
【考案が解決しようとする問題】
【０００３】  車椅子の足置きに直接足を乗せて置いていた、これでは、足の不自由な患者や脚力の弱い患者の足が車椅子の移動の際におこる振動や揺れなどによる足のずれ落ちがあり足を何回も乗せ直す不都合があり不便を感じた。
【課題を解決するための手段】
【０００４】  そこで、車椅子の足置きに取り外し可能な本考案の筒状の脱落防止足踏みカバーを設け安全性や安定感、強度的にも丈夫に保つように薄い鉄板を備え付け、さらにスリッパを履いた状態でもスリッパのかかと部分は貫通できることを特徴とした空間を設け足のかかと部分は突っ掛けの逆の形をした帯状の生地によって支えることができ、又、足踏み表面部分にスベリ止メを備え付けることで車椅子の移動の際に起こる振動や揺れなどによる足のずれ落ちを防止することができ患者の足が脱落の際に起こるケガを心配することもなくこの課題を解決する。
【考案の効果】
【０００５】  よって、本考案の筒状の脱落防止足踏みカバーにより足の不自由な患者や脚力の弱い患者の足が車椅子の移動の際に起こる振動や揺れによる足のずれ落ちもなく、さらに、車椅子を押す看護士や看病する家族も患者の足を何回も載せ直す不都合もなくなり患者も足の脱落の際に起こるケガをする心配もないので安心して使用できる。又、取り外し可能なのでギプスを使用している患者や足置きに関係のない患者は一般的な使用をすればよい。本考案の筒状の脱落防止足踏みカバーは左側、又は、右側どちら側に使用してもよい。
【考案を実施するための最良の形態】
【０００６】  本考案に係る筒状の脱落防止足踏みカバー（Ｋ）は、図３に示すように薄い鉄板（Ｔ）を備え付けているので安全性や安定感、強度的にも丈夫であり、さらに、突っ掛けの逆の形をした帯状の生地（Ｎ）は、足のかかと部分を包み込むことができるように高めにバランスをとりスリッパのかかと部分が貫通できる空間を設けているので振動や揺れにも強い。素材は丈夫な生地を使用し肌触りの良いものが望ましく、薄い鉄板は全体を樹脂で包み込み形を形成する。又、突っ込み部分は内側にゴムなどを使用することが望ましく大きさは車椅子の規格に応じて決めると良い。左右用であるためどちらにも使用できることが望ましく足踏み面の表面部分はスベリ止メ（Ｓ）を備えることにより効果大であることが最も望ましい。
【図面の簡単な説明】
【０００７】
【図１】車椅子の足置き部分、足踏み面の平面図である。
【図２】本考案に係る筒状の脱落防止足踏みカバーを、車椅子の足置き部分に取り付けた状態の平面図である。
【図３】本考案に係る筒状の脱落防止足踏みカバーを、車椅子の足置き部分に取り付けた状態のＡ〜Ａ’の断面図である。
【図４】本考案に係る筒状の脱落防止足踏みカバーを、車椅子の足置き部分に取り付けた状態のＢ〜Ｂ’の断面図である。
【符号の説明】
【０００８】  Ｎ              帯状の生地  Ｔ              薄い鉄板  Ｊ              車椅子の足置き部分  Ｋ              筒状の脱落防止足踏みカバー  Ｓ              スベリ止メ